(57)【特許請求の範囲】
【請求項１】
縦方向および横方向と、厚さ方向とを有し、肌対向面及び非肌対向面と、前ウエスト域を形成する前ウエストパネルと、後ウエスト域を形成する後ウエストパネルと、前記前後ウエストパネルの間に位置してクロッチ域を形成する吸収パネルと、吸液性コアと、前記吸収パネルの前記肌対向面側において前記縦方向へ延びる一対の防漏カフとを含む使い捨て着用物品において、
前記防漏カフは、前記縦方向へ延びる基端部と、前記縦方向へ伸縮可能な自由部とを有し、
前記防漏カフの前記基端部の前記横方向の外側には、前記縦方向へ延びるサイド延出部が位置し、
前記サイド延出部は、親水性層と、前記親水性層を前記厚さ方向において被覆する疎水性層とを有し、
前記親水性層は、前記吸収パネルの両側縁まで延びており、前記疎水性層は、前記親水性層の前記非肌対向面側を被覆する第１疎水性層と、前記親水性層の前記肌対向面側を被覆する第２疎水性層とを有し、前記第１疎水性層には、前記縦方向へ延びる複数条のレッグ弾性体が配置されていることを特徴とする前記着用物品。
【請求項２】
前記吸液性コアの前記肌対向面側には、親水性を有する内面シートが配置されており、前記親水性層は、前記吸液性コアの両側縁からさらに前記横方向の外側へ延出する前記内面シートの延出部分から形成される請求項１に記載の着用物品。
【請求項３】
前記吸液性コアを被包する液拡散性のコアラップシートをさらに有し、前記親水性層は、前記内面シートの延出部分と、前記吸液性コアの両側縁からさらに前記横方向の外側へ延出する前記コアラップシートの延出部分とから形成される請求項２に記載の着用物品。
【請求項４】
前記内面シートの前記延出部分は、前記縦方向へ延びる折曲ラインに沿って前記吸液構造体の前記非肌対向面側へ向かって折り曲げられる請求項２又は３に記載の着用物品。
【請求項５】
前記第１疎水性層は、前記吸収パネルの外面を形成する疎水性の被覆シートと前記吸液性コアの底面を被覆する不透液性の防漏フィルムとから形成されており、前記第２疎水性層は、前記縦方向へ延びる折曲ラインに沿って前記親水性層の前記肌対向面側へ折り曲げられて固定された前記被覆シートの両側部から形成される請求項１〜４のいずれかに記載の着用物品。
【請求項６】
前記防漏カフの前記自由部には、前記縦方向へ延びる複数条のカフ弾性体が配置されており、前記レッグ弾性体間の前記横方向の離間寸法は、前記カフ弾性体間の前記横方向の離間寸法よりも大きい請求項１〜５のいずれかに記載の着用物品。
【請求項７】
前記親水性層を形成するシートの積層枚数が、前記第１疎水性層を形成するシートの積層枚数、前記第２疎水性層を形成するシートの積層枚数よりも大きい請求項１〜６のいずれかに記載の着用物品。
【請求項８】
前記吸収パネルは、前記前後ウエストパネルに位置する前後端部を有し、前記前後ウエストパネルは、それぞれ、前記横方向へ延びる複数条の前後ウエスト弾性体を有し、前記前ウエスト弾性体のうちの前記吸収パネルの前記前端部と平面視において互いに重なる弾性体の配置された伸縮域の伸長応力は、前記後ウエスト弾性体のうちの前記吸収パネルの前記後端部と平面視において互いに重なる弾性体の配置された伸縮域の伸長応力よりも高い請求項１〜７のいずれかに記載の着用物品。
【請求項９】
前記吸液性コアは、前記横方向の内側へ向かって凸曲する両側縁を有し、前記クロッチ域の中央部において、前記防漏カフは前記吸液性コアと前記横方向において離間する請求項１〜８のいずれかに記載の着用物品。
【発明の詳細な説明】
【技術分野】
【０００１】
この発明は、使い捨て着用物品に関する。
【背景技術】
【０００２】
特許文献１には、前ウエスト域を形成する前ウエストパネルと、後ウエスト域を形成する後ウエストパネルと、前後ウエストパネルの間に位置してクロッチ域を形成する吸収パネルと、吸液性コアと、吸収パネルの前記肌対向面側において縦方向へ延びる一対の防漏カフとを含む使い捨て着用物品が開示されている。
【先行技術文献】
【特許文献】
【０００３】
【特許文献１】特開２０１１−５０５０１号公報（Ｐ２０１１−５０５０１）
【発明の概要】
【発明が解決しようとする課題】
【０００４】
特許文献１に開示の着用物品では、着用状態において一対の防漏カフが着用者の身体へ向かって起立することによって、排泄物の漏れを効果的に防止しうる。しかし、例えば、軽失禁用の着用物品としてより下着らしい外観とするために、吸液性コアの厚さ寸法及び／又は横方向の寸法を小さくする場合には、体液の吸収量が比較的に小さくなり、排泄された体液が吸収されずに外部に漏れ出るおそれがある。
【０００５】
そこで、本発明の目的は、従来の技術の改良であって、比較的にスリムな吸液性コアを有するとともに、吸液性コアの保液量以上の体液を一時的に拡散、保液することのできる使い捨て着用物品の提供にある。
【課題を解決するための手段】
【０００６】
上記課題を達成するために、本発明は、縦方向及び横方向と、厚さ方向とを有し、肌対向面及び非肌対向面と、前ウエスト域を形成する前ウエストパネルと、後ウエスト域を形成する後ウエストパネルと、前記前後ウエストパネルの間に位置してクロッチ域を形成する吸収パネルと、吸液性コアと、前記吸収パネルの前記肌対向面側において前記縦方向へ延びる一対の防漏カフとを含む使い捨て着用物品に関する。
【０００７】
本発明に係る使い捨て着用物品は、前記防漏カフは、前記縦方向へ延びる基端部と、前記縦方向へ伸縮可能な自由部とを有し、前記防漏カフの前記基端部の前記横方向の外側には、前記縦方向へ延びるサイド延出部が位置し、前記サイド延出部は、親水性層と、前記親水性層を前記厚さ方向において被覆する疎水性層とを有し、前記親水性層は、前記吸収パネルの両側縁まで延びており、前記疎水性層は、前記親水性層の前記非肌対向面側を被覆する第１疎水性層と、前記親水性層の前記肌対向面側を被覆する第２疎水性層とを有し、前記第１疎水性層には、前記縦方向へ延びる複数条のレッグ弾性体が配置されていることを特徴とする。
【０００８】
前記吸液性コアの前記肌対向面側には、親水性を有する内面シートが配置されており、前記親水性層は、前記吸液性コアの両側縁からさらに前記横方向の外側へ延出する前記内面シートの延出部分から形成される。かかる着用物品では、内層シートの延出部分の液拡散性及び保液性を利用することによって、吸液性コアの保液量以上の体液を一時的に保持することができる。
【０００９】
前記吸液性コアを被包する液拡散性のコアラップシートをさらに有し、前記親水性層は、前記内面シートの延出部分と、前記吸液性コアの両側縁からさらに前記横方向の外側へ延出する前記コアラップシートの延出部分とから形成される。かかる着用物品では、コアラップシートの延出部分の液拡散性及び保液性を利用することによって、吸液性コアの保液量以上の体液を一時的に保持することができる。
【００１０】
前記内面シートの前記延出部分は、前記縦方向へ延びる折曲ラインに沿って前記吸液構造体の前記非肌対向面側へ向かって折り曲げられる。かかる着用物品では、内面シートが折り返されることによって、親水性層における保液量が増加し、より多くの体液を一時的に保持することができる。
【００１１】
前記第１疎水性層は、前記吸収パネルの外面を形成する疎水性の被覆シートと前記吸液性コアの底面を被覆する不透液性の防漏フィルムとから形成されており、前記第２疎水性層は、前記縦方向へ延びる前記折曲ラインに沿って前記親水性層の前記肌対向面側へ折り曲げられて固定された前記被覆シートの両側部から形成される。かかる着用物品では、第１及び第２疎水性層が複数のシートから形成した多層構造を有することによって、単層構造を有する場合に比して、体液の防漏性が向上する。
【００１２】
前記防漏カフの前記自由部には、前記縦方向へ延びる複数条のカフ弾性体が配置されており、前記レッグ弾性体間の前記横方向の離間寸法は、前記カフ弾性体間の前記横方向の離間寸法よりも大きい。かかる着用物品では、サイド延出部に比較的に大きなギャザーが形成され、身体との間に空気の流路となる隙間が形成されておむつ内部の蒸れを防止することができる。
【００１３】
前記親水性層を形成するシートの積層枚数が、前記第１疎水性層を形成するシートの積層枚数、前記第２疎水性層を形成するシートの積層枚数よりも大きい。かかる着用物品においては、親水性層を形成するシートの積層枚数が比較的に多く、より多くの体液を一時的に保持することができる。
【００１４】
前記吸収パネルは、前記前後ウエストパネルに位置する前後端部を有し、前記前後ウエストパネルは、それぞれ、前記横方向へ延びる複数条の前後ウエスト弾性体を有し、前記前ウエスト弾性体のうちの前記吸収パネルの前記前端部と平面視において互いに重なる弾性体が配置された伸縮域の伸長応力は、前記後ウエスト弾性体のうちの前記吸収体の前記後端部と平面視において互いに重なる弾性体が配置された伸縮域の伸長応力よりも高い。かかる着用物品においては、前後ウエスト弾性体の収縮作用によって吸収パネルの後端部の横方向の寸法が前端部の横方向の寸法に比して大きくなることから、着用者に対して、外観において後ウエスト域側において臀部全体が被覆されて排泄物の横漏れが防止されるという印象を与えることができるとともに、総体的に前端部の横方向の寸法が小さくなることから、比較的に幅狭な吸収パネルの外形と相俟って、着用物品の正面視においてすっきりとした印象を与えることができる。
【００１５】
前記吸液性コアは、前記横方向の内側へ向かって凸曲する両側縁を有し、前記クロッチ域の中央部において、前記防漏カフは前記吸液性コアと前記横方向において離間する。かかる着用物品において、防漏カフが半剛性の吸液性コアの影響を受けることなく、独立して起立することができる。
【発明の効果】
【００１６】
本発明に係る使い捨て着用物品によれば、吸収パネルのサイド延出部が、親水性層とそれを厚さ方向において被覆する疎水性層とを有することから、吸収パネルは、吸液性コアの保液量以上の体液を一時的に保持することができる。
【図面の簡単な説明】
【００１７】
図面は、本開示に係る本発明の特定の実施の形態を示し、発明の不可欠な構成ばかりでなく、選択的及び好ましい実施の形態を含む。
【図１】本開示に係る使い捨て着用物品の一例として示す使い捨ておむつの斜視図。
【図２】おむつを肌対向面側から視た一部破断展開平面図。
【図３】（ａ）被覆シートの折曲態様を示す図。（ｂ）被覆シートの肌対向面側に吸液構造体を配置した状態を示す図、（ｃ）被覆シートの両側部の各接合域の配置態様を示す図。
【図４】図２のＩＶ−ＩＶ線に沿う断面図。
【図５】図４のＶ線で囲んだ領域の一部拡大図。
【図６】着用状態におけるレッグ開口縁部の拡大図。
【図７】変形例における図５と同様の図。
【発明を実施するための形態】
【００１８】
下記の実施の形態は、本発明の一例である図１〜図７に示す、第１実施形態に係る使い捨ておむつ１０に関し、発明の不可欠な構成ばかりではなく、選択的及び好ましい構成を含む。図２及び図３において、後述する各弾性体は、その収縮力に抗して、横方向Ｘ及び縦方向Ｙへの収縮力により、各弾性体が取り付けられた部材に生じたギャザーが自然な視覚によって実質的に無くなっているように見える程度にまで伸長された状態にある。
【００１９】
図１〜図３を参照すると、本発明に係る使い捨て着用物品の一例である使い捨ておむつ１０は、縦方向Ｙ及びそれに交差する横方向Ｘと、厚さ方向Ｚと、肌対向面及びその反対側の非肌対向面と、横方向Ｘの長さ寸法を二等分する縦断中心線Ｐと、縦方向Ｙの長さ寸法を二等分する横断中心線Ｑとを有し、縦断中心線に関してほぼ対称であり、前ウエスト域１１と、後ウエスト域１２と、前ウエスト域１１および後ウエスト域１２の間に位置するクロッチ域１３とを含む。
【００２０】
おむつ１０は、前ウエスト域１１を形成する前ウエストパネル１４と、後ウエスト域１２を形成する後ウエストパネル１５と、前後ウエストパネル１４，１５間において縦方向Ｙへ延び、クロッチ域１３を形成する吸収パネル１６とを有する。吸収パネル１６は、前ウエスト域１１の肌対向面側に位置する前端部１９Ａと、後ウエスト域１２の肌対向面に位置する後端部１９Ｂと、前後端部１９Ａ，１９Ｂ間に位置する中間部１９Ｃとを有する。本実施形態において、吸収パネル１６の前後端部１９Ａ，１９Ｂは、それぞれ、前後ウエスト域１１，１２の肌対向面側に位置しているが、前後端部１９Ａ，１９Ｂが前後ウエスト域１１，１２の非肌対向面に位置するように、吸収パネル１６を前後ウエストパネル１４，１５の外面に固定してもよい。
【００２１】
前ウエスト域１１の両側縁部と後ウエスト域１２の両側縁部とは、縦方向Ｙへ離隔して配置された複数のシーム２５によって互いに接合され、ウエスト開口２６と一対のレッグ開口２７とが画成されている。シーム２５は、ホットメルト接着剤等の各種接着剤による接着手段、ヒートシール、ソニック等の溶着手段による各種公知の接合手段またはそれらの組み合わせによって形成することができる。
【００２２】
前ウエストパネル１４は、前レッグ開口の一部を形成する内端縁（前ウエスト域の内端縁）１４ａと、前ウエスト開口を形成する外端縁（前ウエスト域の外端縁）１４ｂと、内外端縁１４ａ，１４ｂ間において縦方向Ｙへ延びる両側縁１４ｃ，１４ｄ（前ウエスト域の両側縁）とによって画定された横長矩形状を有する。また、前ウエストパネル１４は、肌対向面側に位置する不透液性の内層シート１７と、非肌対向面側に位置する不透液性の外層シート１８と、内外層シート１７，１８間において、横方向Ｘへ伸長状態で収縮可能に配置された複数条のストランド状又はストリング状の前ウエスト弾性体２０とを有する。
【００２３】
後ウエストパネル１５は、後レッグ開口の一部を形成する内端縁（後ウエスト域の内端縁）１５ａと、後ウエスト開口を形成する外端縁（後ウエスト域の外端縁）１５ｂと、内外端縁１５ａ，１５ｂ間において縦方向Ｙへ延びる両側縁（後ウエスト域の両側縁）１５ｃ，１５ｄとを有する。後ウエストパネル１５は、肌対向面側に位置する不透液性の内層シート２１と、非肌対向面側に位置する不透液性の外層シート２２と、内外層シート２１，２２間において、横方向Ｘへ伸長状態で収縮可能に配置された複数条のストランド状又はストリング状の後ウエスト弾性体２３とを有する。
【００２４】
前ウエスト弾性体２０は、外端縁１４ｂに沿って横方向Ｘに延びる複数条の前上方ウエスト弾性体２０Ａと、前上方ウエスト弾性体２０Ａと内端縁１４ａとの間に位置する前下方ウエスト弾性体２０Ｂとを有する。後ウエスト弾性体２３は、ウエスト開口縁に沿って横方向Ｘに延びる複数条の後上方ウエスト弾性体２３Ａと、後上方ウエスト弾性体２３Ａと内端縁１５ａとの間に位置する後下方ウエスト弾性体２３Ｂとを有する。前下方ウエスト弾性体２０Ｂは、吸収パネル１６の前端部１９Ａとおむつ１０の平面視において互いに重なるように位置し、後下方ウエスト弾性体２３Ｂは、吸収パネル１６の後端部１９Ｂと平面視において互いに重なるように位置している。
【００２５】
前後ウエストパネル１４，１５の内外層シート１７，１８，２１，２２は、不透液性であって好ましくは通気性を有する、質量が約１０〜４０ｇ／ｍ２、繊維密度が約０．０３〜０．１ｇ／ｃｍ３のスパンボンド繊維不織布、ＳＭＳ（スパンボンド・メルトブローン・スパンボンド）繊維不織布、エアスルー繊維不織布等を各種公知の繊維不織布を用いることができる。
【００２６】
前後ウエスト弾性体２０，２３において、前後上方ウエスト弾性体２０Ａ，２３Ａとしては、例えば、繊度が約６００〜１２００ｄｔｅｘであって、約２．５〜３．５倍に伸長された状態で収縮可能に配置されたストリング状又はストランド状の弾性材料を用いることができる。また、前後下方ウエスト弾性体２０Ｂ，２３Ｂとしては、例えば、繊度が約４００〜８００ｄｔｅｘであって、約１．５〜３．０倍に伸長された状態で収縮可能に配置されたストリング状又はストランド状の弾性材料を用いることができる。前後ウエスト弾性体２０，２３の繊度、伸長倍率、各弾性体間の離間寸法（ピッチ）等の各種条件は必要に応じで適宜変更することが可能であるが、ウエスト開口２６側において着用者の身体に安定的に着用されるために、前後上方ウエスト弾性体２０Ａ，２３Ａによる伸縮域の伸長応力が前後下方ウエスト弾性体２０Ｂ，２３Ｂによる伸縮域の伸長応力よりも高くなるように各弾性体の条件を設定することが好ましい。また、前後ウエスト域１１，１２に所要の弾性力を付与できる限りにおいて、前後ウエスト弾性体２０，２３の代わりに、または、それとともに、弾性伸縮性シートを前後ウエスト域１１，１２の内面側又は外面側に配置してもよい。おむつ１０の外面全体に前後ウエスト弾性体２０，２３が配置されることによって、その外面には複数のギャザーが形成され、全体としてギャザーリングされている。
【００２７】
図２を参照すると、おむつ１０の横方向Ｘの寸法Ｗ１は、５５０〜７４０ｍｍであって、前後ウエスト域１１，１２の側縁の縦方向Ｙの寸法Ｌ１は、１６０〜２１０ｍｍである。また、吸収パネル１６の横方向Ｘの寸法Ｗ２は、約１５０〜２２０ｍｍである。したがって、吸収パネル１６の横方向Ｘの寸法Ｗ２は、おむつ１０の横方向Ｘの寸法Ｗ１の約２７〜３６％の大きさであって、一般的なおむつ(特に大人用)に比べて、吸収パネル１６が幅狭であるといえる。
【００２８】
吸収パネル１６は、前後端縁１６ａ，１６ｂと両側縁１６ｃ，１６ｄとによって画定された縦長方形状であって、前後端部１９Ａ，１９Ｂが、前後ウエストパネル１４，１５の肌対向面にホットメルト接着剤を塗布してなる前後接合域（図示せず）を介して互いに接合されている。前後接合域におけるホットメルト接着剤の塗布パターンは、例えば、縦方向Ｙへ延びる複数のライン状のほかに、Ω状、スパイラル状、波状等の各種公知の形状を採用することができる。
【００２９】
図２及び図３を参照すると、吸収パネル１６は、肌対向面側に位置する親水性／透液性の内面シート（身体側ライナ）３１と吸収体３３とから構成された吸液構造体３０と、吸液構造体３０の非肌対向面側に位置する疎水性の被覆シート３２と、吸液構造体３０の非肌対向面側において、少なくともその底面を被覆する大きさを有する疎水性又不透液性の防漏フィルム３４とを有する。吸収体３３は、吸液性コア３５と吸液性コア３５の全体を包被するコアラップシート３６とを有する。
【００３０】
吸液性コア３５は、所要の形状に賦形された半剛性のパネル形状であって、横方向Ｘへ延びる前後端縁と、前後端縁間において縦断中心線Ｐに向かって（横方向Ｘの内側へ向かって）凸曲して延びる両側縁３５ｃ，３５ｄとを有する。また、吸液性コア３５は、フラッフ木材パルプと、超吸収性ポリマー粒子（ＳＡＰ）との混合物から形成されている。着用物品１０が大人用かつ軽失禁用のおむつとして使用される場合には、吸液性コア３５の厚さ寸法が比較的に小さいことが好ましく、例えば、ＳＡＰの質量をフラッフ木材パルプの質量に対して相対的に小さくすることによって、所要の吸水量を保持しつつ、その厚さ寸法を小さくしてもよいし、また、吸液性コア３５をＳＡＰのみから形成してもよい。
【００３１】
内面シート３１とコアラップシート３６とは、親水性及び液拡散性を有するシート材料から形成されるものであって、例えば、質量約１５〜２５ｇ／ｍ２の親水化処理されたスパンボンド繊維不織布、ＳＭＳ繊維不織布等から形成することができる。コアラップシート３６は、内面シート３１と同種類のシート材料から形成することもできるが、好適には、ティッシュペーパから形成される。また、その厚さ寸法は、内面シート３１のそれに比べて小さく、吸液性コア３５を所要形状に保形できる程度の強度を実現する厚さ寸法であればよい。被覆シート３２は、疎水性又は実質的に不透液性のシート材料から形成されており、例えば、質量約１５〜３０ｇ／ｍ２のＳＭＳ繊維不織布やスパンボンド不織布等から形成される。防漏フィルム３４は、好ましくは通気性を有する、疎水性のシート材料、例えば、質量約１０〜２５ｇ／ｍ２の通気性プラスチックフィルムから形成される。
【００３２】
図４及び図５を参照すると、吸液構造体３０において、内面シート３１は吸液性コア３５の両側縁３５ｃ，３５ｄからさらに横方向Ｘの外側へ延びている。具体的には、吸液性コア３５の肌対向面側を被覆する内面シート３１は、吸収パネル１６の両側縁１６ｃ，１６ｄに沿って縦方向Ｙへ延びる折曲ライン（図示せず）に沿って折り曲げられて縦断中心線Ｐへ向かって延び、その外側縁部３１ｂが吸液性コア３５の非肌対向面側に位置している。また、吸液性コア３５を包被するコアラップシート３６は、吸液性コア３５の外形寸法よりもひとまわり大きな外形を有する。内面シート３１とコアラップシート３６とは、それぞれ、吸液性コア３５の両側縁３５ｃ，３５ｄから横方向Ｘの外側へ延びる延出部分３１Ａ，３６Ａを有し、これら延出部分３１Ａ，３６Ａによって、吸液性コア３５の横方向Ｘの外側には親水性層（液拡散性層）５０が形成される。
【００３３】
親水性層５０は、内面シート３１とコアラップシート３６との折り重ねた延出部分３１Ａ，３６Ａから形成されていることから４層構造を有する。ただし、所要の保液性能を有する限りにおいて、内面シート３１の延出部分３１Ａとコアラップシート３６の延出部分３６Ａとは、２層構造ではなく単層構造であってもよいし、親水性層５０が内面シート３１の延出部分３１Ａのみから形成されていてもよい。また、吸液性コア３５の両側縁３５ｃ、３５ｄが凹曲状を有していることから、親水性層５０はクロッチ域１３の中央部においてその横方向Ｘの寸法Ｗ５が最も大きく、前後ウエスト域１３，１４において該寸法Ｗ５が最も小さくなっている。
【００３４】
図３（ａ）は、被覆シート３２の折曲態様を示す図、図３（ｂ）は、被覆シート３２に吸液構造体３０を配置した状態を示す図、図３（ｃ）は、被覆シート３２の両側部４２の各接合域４６〜４８の配置態様を示す図である。図３（ａ）〜（ｃ）は、吸収パネル１６の組立工程を説明するものであるが、吸収パネル１６の両側縁部が図４に示す積層構造を有する限りにおいて、他の組立工程を採用してもよい。また、図４においては、説明の便宜上、吸収パネル１６の一方側縁１６ｃ側において被覆シート３２の両側部４２が倒伏した状態、吸収パネル１６の他方側縁１６ｄ側において被覆シート３２の両側部４２が起立した状態を示している。
【００３５】
図３（ａ）を参照すると、被覆シート３２は、防漏フィルム３４が配置された主体部４１と、防漏フィルム３４の両側縁に沿って縦方向Ｙへ延びる折曲ライン４３よりも横方向Ｘの外側に位置する両側部４２とを有する。両側部４２は、折曲ライン４３に沿って縦断中心線Ｐ側へ折り曲げられて重ねられる。かかる折曲状態において、両側部４２と主体部４１との間には、折曲ライン４３に沿って縦方向へ延びる複数条のストリング状又はストランド状のカフ弾性体６４が伸長状態で収縮可能に配置されている。また、被覆シート３２の外側縁部側には、両側部４２と防漏フィルム３４との間において、縦方向へ延びる複数条のストリング状又はストランド状のレッグ弾性体（ガスケットカフ弾性体）６５が伸長状態で収縮可能に取り付けられている。
【００３６】
図３（ｂ）を参照すると、図３（ａ）の被覆シート３２の折曲状態において、その肌対向面側に吸液構造体３０を配置する。被覆シート３２に吸液構造体３０を配置した状態において、被覆シート３２の両側部４２を吸液構造体３０の両側縁に沿って縦方向Ｙへ延びる折曲ライン４４に沿ってさらに縦断中心線Ｐ側へ折り曲げる。
【００３７】
図３（ｃ）及び図４，５を参照すると、折曲ライン４４に沿って折り曲げられた状態において、両側部４２のうちの親水性層５０の肌対向面側に折り重ねられた部分は、吸収パネル１６の両側縁１６ｃ，１６ｄに沿って縦方向Ｙに延びる外側接合域４６と外側接合域４６の横方向Ｘの内側に位置する内側接合域４７と、前後ウエスト域１１，１２において内側接合域４７のさらに横方向Ｘの内側に位置する端部接合域４８とを介して固定する。また、親水性層５０の非肌対向面側に位置する外側縁部は、外側接合域４６と厚さ方向において対向する接合域４９を介して親水性層５０の非肌対向面側に接合する。なお、図示していないが、本明細書において特に記載しない限りにおいて、厚さ方向Ｚにおいて積層されているシートどうしは、それらのシートの互いに対向する面の少なくとも一方に塗布された接着剤によって固定されている。
【００３８】
図４及び図５を参照すると、吸収パネル１６は、かかる構成を有することによって、縦方向Ｙへ延びる一対の防漏カフ６０と、防漏カフ６０の横方向Ｘの外側に位置する一対のサイド延出部（ガスケットカフ）６１とをさらに有する。防漏カフ６０は、被覆シート３２の両側部４２のうちの端部接合域４８を介して内面シート３１に固定された両端固定部と、内側接合域４７を介して内面シート３１に固定された縦方向Ｙへ延びる基端部（近位部）６２と、両端固定部６１間において縦方向Ｙへ延び、かつ、基端部６２と並行して縦方向Ｙへ延びる自由部（遠位部）６３とを有する。自由部６３には、カフ弾性体６４が伸長状態で収縮可能に配設されている。着用状態において、カフ弾性体６４が収縮することによって、該縁部が内面シート３１から着用者の身体側へ離間し、着用者の大腿部にフィットして排泄物の漏れを防止する。
【００３９】
本実施形態において、防漏カフ６０とサイド延出部６１とは、被覆シート３２から形成されているが、防漏カフ６０は被覆シート３２と別体のシート材料から形成されていてもよい。かかる場合には、防漏カフ６０は、主として排泄物の漏れを防止するものであるから、必ずしも不透液性のシートから形成する必要はない。また、防漏カフ６０の自由部６３又はカフ弾性体６４として弾性伸縮性シートを使用してもよい。
【００４０】
図４及び図５を参照すると、吸収パネル１６のサイド延出部６１は、内面シート３１の延出部分３１Ａとコアラップシート３６の延出部分３６Ａとから構成された親水性層５０と、親水性層５０を厚さ方向Ｚにおいて覆う疎水性層５１，５２とを有する。疎水性層５１，５２は、親水性層５０の非肌対向面側を被覆する第１疎水性層（下側層）５１と、親水性層５０の肌対向縁側を被覆する第２疎水性層（上側層）５２とを有する。第１疎水性層５１は、被覆シート３２の主体部４１と、外側縁部４２Ａ及び防漏フィルム３４から構成された３層構造を有し、第２疎水性層５２は、被覆シート３２の両側部４２から構成された２層構造を有する。第１疎水性層５１を形成する防漏フィルム３４の側縁部と被覆シート３２の外側縁部４２Ａとの間には、複数条のレッグ弾性体６５が伸長状態で収縮可能に取り付けられている。吸収パネル１６のサイド延出部６１は、第１疎水性層５１に位置するレッグ弾性体６５の収縮作用によって、少なくとも縦方向Ｙへ弾性を有する。
【００４１】
図６を参照すると、おむつ１０の着用状態において、防漏カフ６０がカフ弾性体６４の収縮作用によって着用者の身体７０側へ向かって起立し、鼠蹊部に当接される一方、サイド延出部６１は、レッグ弾性体６５の収縮力によって大腿部の付け根近傍にフィットされている。このように、おむつ１０のレッグ開口縁部が、防漏カフ６０とサイド延出部６１とによって比較的に広い範囲で身体に当接されるので、防漏カフ６０のみによって排泄物の横漏れを防止する場合に比して、排泄物の横漏れをより効果的に防止しうる。
【００４２】
大人用のおむつの場合には、日常生活において、着衣の内側におむつを着用していることが外観において視認されないようにしたいという観点から、おむつ１０の厚さ寸法をできるだけ抑えるために、吸液性コアの厚さ寸法及び／又は幅寸法を小さくすることが好ましい。しかし、吸液性コアの厚さ寸法等を小さくした場合には、体液の吸液量が減少して体液を十分に保持することができないおそれがある。本実施形態にかかるおむつ１０においては、吸液性コア３５の両側縁３５ｃ，３５ｄから横方向Ｘの外側へ延びる内面シート３１の延出部分３１Ａとコアラップシート３６の延出部分３６Ａとから構成された親水性層５０が、吸収パネル１６の両側縁１６ｃ，１６ｄに沿ってサイド延出部６１まで延在していることから、親水性層５０において吸液性コア３５において吸収された体液を拡散又はそれに吸収されなかった体液を直接吸収することができ、吸液性コア３５の吸液量を超える体液を一時的に保持することができる。
【００４３】
図４を参照すると、このように、親水性層５０において体液を一時的に保持するためには、クロッチ域１３の中央部において親水性層５０の横方向Ｘの寸法（親水性層５０の最大幅寸法）Ｗ５は、約４０〜６０ｍｍであることが好ましい。親水性層５０の横方向Ｘの寸法Ｗ５が４０ｍｍ以下の場合には、親水性層５０において一時的に保持される体液量が比較的に小さく体液の横漏れを生じるおそれがあり、一方、横方向Ｘの寸法Ｗ５が６０ｍｍ以上の場合には、吸収パネル１６全体の横方向の寸法が大きくなり、サイド延出部６１と大腿部との間に隙間が生じるおそれがある。また、着用状態において体液が溜まるクロッチ域１３の中央部には、吸液性コア３５の最も幅狭部分が位置しておりその吸液性能が他の部分に比して低くなっている。本実施形態においては、親水性層５０の横方向Ｘの寸法Ｗ５が、吸液性コア３５の最狭部分の横方向の寸法Ｗ４の約４０〜６０％の大きさであることによって、吸液性コア３５において吸収されなかった体液を親水性層５０で保持し、体液が防漏カフ６０を越えて横漏れするのを防止することができる。
【００４４】
また、サイド延出部６１は、親水性層５０の非肌対向面側を被覆する第１疎水性層５１と親水性層５０の肌対向面側を被覆する第２疎水性層５２とを有することから、親水性層５０においてその両側縁部まで拡散、吸収された体液が外部に漏れ出るのを抑制することができる。さらに、サイド延出部６１において、第１及び第２疎水性層５１，５２は親水性層５０全体を包被するように被覆シート３２を折り曲げて形成しており、親水性層５０の横方向Ｘの外側にも疎水性層５１，５２が位置することから体液が外部に漏れ出ることはない。
【００４５】
第１疎水性層５１は、被覆シート３２の両側部４２、主体部４１及び防漏フィルム３４の３層構造を有し、第２疎水性層５２は、被覆シート３２の両側部４２から形成された２層構造を有しており、第１及び第２疎水性層５１，５２は複数の疎水性シートを積層して形成されたものであるから、それらが単層構造を有する場合に比して、体液の防漏性に優れる。また、親水性層５０は、内面シート３１とコアラップシート３６との延出部分３１Ａ，３６Ａから構成された４層構造を有するものであって、第１及び第２疎水性層５１，５２よりも積層枚数が多い多層構造となっている。親水性層５０が多層構造を有することによって、単層構造を有する場合に比してより多量の体液を一時的に保持することができる。
【００４６】
親水性層５０、第１及び第２疎水性層５１，５２が多層構造を有することによって、サイド延出部６１は、積層枚数が防漏カフ６０を形成するシートの３倍以上であって、具体的には、厚さ方向Ｚにおいて９層が積層されて形成されている。サイド延出部６１は、このようにシートが折り重ねられて形成された多層構造を有することから、比較的に高い剛性を有する。したがって、サイド延出部６１が単層又は２、３層から形成される場合にはクロッチ域１３の後ウエスト域１２側において、着用中にサイド延出部６１が捲れて臀部が露出するおそれがあるが、サイド延出部６１が９層構造を有することによって身体に安定的に当接し、臀部を覆った状態が維持することができる。また、通常のおむつでは、着用状態において、フラップ状の臀部を覆う部分が着用者の身体に食い込むような状態となり、身体にフィットした着衣を着用した場合等には、かかる食い込みによる身体とおむつとの段差状のラインが着衣の上から視認され、特に女性の着用者にとっては、おむつの着用に対する抵抗感を与える原因となるおそれがある。本実施形態にかかるおむつ１０では、サイド延出部６１が比較的に高い剛性を有することによって、着用状態において、臀部を覆う部分が身体に食い込み難くなり、身体にフィットした着衣を着用しても、着衣の上からおむつ１０と身体とによる段差状のラインが視認されることはなく、おむつ１０を初めて着用する着用者に対しても、着用することに対する抵抗感を低減することができる。
【００４７】
また、レッグ弾性体６５間の横方向Ｘの離間寸法（ピッチ）は、カフ弾性体６４間の横方向Ｘの離間寸法（ピッチ）よりも大きいことから、サイド延出部６１には、防漏カフ６０の自由部６３に形成されるギャザー比して大きな複数のギャザーが形成される。サイド延出部６１に比較的に大きな複数のギャザーが形成されることから、大腿部とサイド延出部６１との間には空気の流路となる複数の隙間が形成され、おむつ１０内部の蒸れを効果的に防止しうる。また、サイド延出部６１は、多層構造を有して比較的に剛性が高いことから、かかるギャザーは安定した形状をなし、着用中に崩れて消失されることはない。一方、防漏カフ６０においては、比較的に小さなギャザーが複数形成され、その単位面積当たりのギャザーの数は、サイド延出部６１のそれよりも多くなる。したがって、身体に対する当接面積は防漏カフ６０の方がサイト延出部６１に比べて大きくなり、サイド延出部６１に比べて剛性が低くても、身体に安定的に当接される。なお、サイド延出部６１には、親水性層５０によって体液が拡散、吸収される一方、防漏カフ６０によって身体をつたって体液がその肌対向面に移動するのが阻止されるので、このようにギャザーによる隙間が形成されても、体液が外部に漏れ出ることはない。
【００４８】
また、レッグ弾性体６５の伸長倍率は、カフ弾性体６４の伸長倍率よりも低いことが好ましい。レッグ弾性体６５の伸長倍率が比較的に低いことによって、サイド延出部６１が防漏カフ６０とともに身体に向かって起立せずに、横方向Ｘの外側へ突出したような態様となるので、大腿部の内側に面状に当接させることができる。
【００４９】
さらに、後下方ウエスト弾性体２３Ｂが配置された伸縮域の伸長応力が、前下方ウエスト弾性体２０Ｂが配置された伸縮域の伸長応力よりも低いことが好ましい。吸収パネル１６の後端部１９Ｂと前端部１９Ａとは、前後下方ウエスト弾性体２０Ｂ、２３Ｂと交差してその収縮力によって横方向Ｘの寸法が縮められるところ、後端部１９Ｂの縮み量が前端部１９Ａの縮み量よりも小さくなり、後端部１９Ｂの横寸法が前端部１９Ａの横寸法よりも大きくなることから、着用する前に、着用者に対して臀部全体を被覆することができ、かつ、後ウエスト域１２側に排泄された排泄物を十分に吸収、保持できることを視覚上認識させることができ、安心感を与えることができる。また、前後ウエストパネル１４，１５から透視される前後端部１９Ａ，１９Ｂの横寸法が異なることから、おむつ１０の前後の識別が容易になる。また、透視された前端部１９Ａが後端部１９Ｂよりも幅狭であることに加え、吸収パネル１６の横方向Ｘの寸法が比較的に小さいことから、おむつ１０の正面視においてすっきりとした印象を与えることができる。したがって、着用者が身体にフィットした着衣を着用した場合であっても、着衣の上からおむつ１０の外形がはっきりと視認されることはなく、おむつ１０を初めて着用する着用者に対して、着用することに対する抵抗感を低減することができる。
【００５０】
＜伸縮域の伸長応力の測定方法＞
各伸縮域の伸長応力には、引張試験機（(株)島津製作所製）を用いて以下の方法で測定した。まず、おむつ１０（通常の大人用おむつのＭサイズであって、横方向の寸法Ｗ１が約６００ｍｍ）において、シーム２５を剥離して前後ウエストパネル１４，１５を分離し、前後ウエストパネル１４，１５の内面に接着剤を介して接合された吸収パネル１６の前後端部１６Ａ，１６Ｂを両ウエストパネル１４，１５から取り外した後に、前後ウエストパネル１４，１５のそれぞれから前後下方ウエスト弾性体２０Ｂ，２３Ｂが配置された各伸縮域を切り取って各サンプルとした。次いで、サンプルの一方端部を可動治具（上チャック）、他方端部を固定治具（下チャック）にそれぞれ把持させた状態において、チャック間の距離が３００ｍｍの状態から可動治具を速度３００ｍｍ／ｍｉｎで上方へ移動させ、チャック間の距離が４２５ｍｍまで離間させて、動きを反転し、チャック間が３００ｍｍになるまで接近させた後、再び動きを反転させてチャック間が４２５ｍｍになるまで離間させた時点の伸長応力（Ｎ）を測定した。
【００５１】
かかる測定の結果、下方ウエスト弾性体２３Ｂが配置された伸縮域の伸長応力が、２．２Ｎ、前下方ウエスト弾性体２０Ｂが配置された伸縮域の伸長応力が２．９Ｎであった。また、同様の測定方法の結果、Ｌサイズのおむつ１０では、前者が１．９Ｎ、後者が２．８Ｎ、ＸＬサイズのおむつ１０では、前者が２．６Ｎ、後者が３．２Ｎであった。
【００５２】
再び、図２を参照すると、既述のとおり、吸液性コア３５の両側縁３５ｃ，３５ｄは、横方向Ｘの内側へ向かって凸曲した形状を有し、クロッチ域１３の中央部において防漏カフ６０の基端部６２と最も離間している。吸液性コア３５は、シート部材よりも剛性の高い半剛性であって、吸液性コア３５が基端部６２の近傍に位置する場合には、基端部６２がその剛性の影響を受けて起立し難くなるおそれがあるが、最も排泄物が溜まるクロッチ域１３の中央部において基端部６２と吸液性コア３５とが最も離間していることから、防漏カフ６０の起立が阻害されることはなく、排泄物の横漏れを防止することができる。
【００５３】
また、図５を参照すると、本実施形態においては、サイド延出部６１に位置する外側接合域４６と防漏カフ６０の基端部６２を形成する内側接合域４７とが横方向Ｘにおいて互いに離間している。このように、外側接合域４６と基端部６２とが離間していることによって、サイド延出部６１と防漏カフ６０とは互いの伸長、収縮作用による影響を受けることなく、独立して起立することができる。ただし、サイド延出部６１と防漏カフ６０とが互いに独立して起立する限りにおいて、おむつ１０の製造工程の簡略化のために、外側接合域４６と内側接合域４７とが連続するように被覆シート３２に塗布されていてもよい。
【００５４】
＜変形例＞
図７は、おむつ１０の変形例の一例における、図５と同様の拡大図である。本変形例のおむつ１０の基本的構成態様は、本実施形態と同じであって、相違する点についてのみ以下に説明する。
【００５５】
本変形例において、吸液構造体３０の両側縁部、すなわち、親水性層５０の一部が被覆シート３２の両側部４２とともに折り曲げられて、接合域８１を介してそれと対向する内面シート３１に固定されている。本変形例では、サイド延出部６１のうちの最も積層枚数の多い最積層部分８２において１３層構造を有していることから、吸収パネル１６の両側縁部は、第１実施形態のそれに比べて肉厚であって、さらに剛性が高くなっている。
【００５６】
本明細書において、使い捨て着用物品の一例として、前後ウエスト域１１，１２を形成する前後ウエストパネル１４，１５と、クロッチ域１３を形成する吸収パネル１６との３つのパネル部材から構成されたおむつ１０について説明したが、前後ウエストパネル１４，１５を別体ではなく、ウエスト周り方向へ連続して延びる環状の１つのウエストパネルから形成してもよい。
【００５７】
本発明の使い捨て着用物品を構成する各構成部材には、明細書に記載されている材料のほかに、この種の物品において通常用いられている各種公知の材料を制限なく用いることができる。また、明細書及び特許請求の範囲において、「第１」及び「第２」等の用語は、同様の要素、位置等を単に区別するために用いられる。
【符号の説明】
【００５８】
１０    おむつ（着用物品）
１１    前ウエスト域
１２    後ウエスト域
１３    クロッチ域
１４    前ウエストパネル
１５    後ウエストパネル
１６    吸収パネル
１９Ａ  前端部
１９Ｂ  後端部
２０    前ウエスト弾性体
２０Ｂ  前下方ウエスト弾性体
２３    後ウエスト弾性体
２３Ｂ  後下方ウエスト弾性体
３１    内面シート
３１Ａ  内面シートの延出部
３２    被覆シート
３４    防漏フィルム
３５    吸液性コア
３６    コアラップシート
３６Ａ  コアラップシートの延出部
５０    親水性層
５１    第１疎水性層
５２    第２疎水性層
６０    防漏カフ
６１    サイド延出部
６４    カフ弾性体
６５    レッグ弾性体
Ｘ    横方向
Ｙ    縦方向
Ｚ    厚さ方向
【要約】
【課題】比較的にスリムな吸液性コアを有するとともに、吸液性コアの保液量以上の体液を一時的に拡散、保液することのできる使い捨て着用物品の提供。
【解決手段】防漏カフ６０は、縦方向Ｙへ延びる基端部６２と、縦方向Ｙへ伸縮可能な自由部６３とを有し、防漏カフ６０の基端部６２の横方向Ｘの外側には、縦方向Ｙへ延びるサイド延出部６１が位置する。サイド延出部６１は、親水性層５０と、親水性層５０を厚さ方向Ｚにおいて被覆する疎水性層５１，５２とを有する。
【選択図】図５【図１】
0005833270.tif 000002
【図２】
0005833270.tif 000003
【図３】
0005833270.tif 000004
【図４】
0005833270.tif 000005
【図５】
0005833270.tif 000006
【図６】
0005833270.tif 000007
【図７】
0005833270.tif 000008